(57)【特許請求の範囲】
【請求項１】
カフと、前記カフ内に気体を注入してカフ内圧を制御するカフ加圧制御手段とを含み、血管を圧迫する血管圧迫手段と、
前記カフ内に所定距離離反させて少なくとも２つ配設されたマイクロエアバックと、
前記マイクロエアバックの差圧を検出する差圧検出手段と、
前記差圧検出手段の検出差圧及び前記血管圧迫手段による血管圧迫圧力値より最高血圧値及び最低血圧値を測定する血圧測定手段とを備え、
前記マイクロエアバックは、少なくとも１個は血圧を測定するカフ下流でかつ脈管上に配置され、他方は周辺方位に所定距離離反させて配置されるとともに、
前記血圧測定手段は、前記差圧検出手段の検出差圧を元に最高血圧値と最低血圧値を測定することを特徴とする血圧測定装置。
【請求項２】
前記血圧測定手段は、前記差圧検出手段の検出差圧の所定周波数成分の発生圧力値及び発生した所定周波数成分の消滅圧力値より最高血圧値及び最低血圧値を測定することを特徴とする請求項１記載の血圧測定装置。
【請求項３】
更に、前記血圧測定手段で測定した血圧測定結果を表示する表示手段を備えることを特徴とする請求項１又は２に記載の血圧測定装置。
【発明の詳細な説明】
【０００１】
【発明の属する技術分野】
本発明は血圧測定装置及び方法に関し、例えば、心臓リハビリ及びヘルスケア分野における携帯装着して心筋力の回復トレーニング等の運動療法中であっても血圧測定が可能な血圧測定装置及び方法に関するものである。
【０００２】
【従来の技術】
従来、非観血血圧測定の主な方法として、例えばオシロメトリック法（振動法）あるいはコロトコフ音（以下、「Ｋ音」という。）法がある。
例えば、Ｋ音法は、上腕にカフを巻き、上腕動脈上に聴診器をあててカフを拡張し、空気圧により血流を遮断した後、空気圧を徐々に減圧して聴診器により聞こえるＫ音の聞こえ始めた時点のカフ内圧を最高血圧とし、Ｋ音が消滅した時点のカフ内圧を最低血圧として血圧を測定する方法である。
【０００３】
この従来のＫ音法による血圧測定装置の例を図３に示す。図３に示すように従来の血圧測定装置は、カフ１０と、カフ１０により圧迫される血管上部に配置され、血管音を収集するマイク１５と、マイク１５よりの収集血管音よりＫ音を検出するＫ音検出手段２０と、カフ１０を加圧するとともにカフ内圧を測定し、一定割合でカフ圧力を減圧制御する圧迫圧力制御手段５０と、該圧迫圧力制御手段５０よりのカフ内圧検出値と、Ｋ音検出手段２０よりのＫ音検出結果とより最高血圧値及び最低血圧値を測定する血圧測定手段３０と、血圧測定手段３０での血圧測定結果を表示する表示手段６０とを備えていた。
【０００４】
そして、例えばカフ圧力の減圧中に最初にＫ音が検出されたカフ内圧を最高血圧値（ＳＩＳ）とし、検出されたＫ音が消滅する時のカフ内圧を最低血圧値（ＤＩＡ）としていた。
オシロメトリック法においても、Ｋ音検出手段２０に代えて脈波検出手段を備え、カフ内圧の変化を検出して脈波の発生状況を検出し、この振幅が最大になる点が平均血圧（ＭＡＰ）になることを基に振幅波形情報を統計的に処理して得られたアルゴリズムにより最高血圧値（ＳＹＳ）、最低血圧値（ＤＩＡ）を決定していた。
【０００５】
これらの方法は、何れも安静状態で血圧を測定することを前提としており、運動中などのカフ圧力の変動がどうしても避けられない状態ではマイクが運動に伴う各種の音をひろったり、運動に伴うカフ内圧の変動による雑音信号をひろってしまったりして正確な血圧値の測定ができなかった。
【０００６】
【発明が解決しようとする課題】
しかし、近年は運動療法である心臓リハビリ及びヘルスケアの効能が注目されるにつれ、運動療法を行なう医療機関が増えてきており、また、治療を受けている患者の数も増加している。効果的な運動処方には、血圧の測定が不可避であり血圧等の生体情報を監視し、基準を越えると警報を発する等の対応が必要である。この運動療法中の血圧測定を行なうためには、従来の血圧計では運動に伴って発生する雑音混入により測定は困難であり、診断不能となる。
【０００７】
従って、自由な生活態度を妨げることなく、安全かつ効果的に運動療法が行えるよう測定中も運動制限の無い軽量かつ小型の正確に血圧を測定できる装置が望まれていた。
【０００８】
【課題を解決するための手段】
本発明は上述の課題を解決するために成されたもので、上述の課題を解決する一手段として例えば以下の構成を備える。即ち、カフと、カフ内に気体を注入してカフ内圧を制御するカフ加圧制御手段とを含み、血管を圧迫する血管圧迫手段と、カフ内に所定距離離反させて少なくとも２つ配設されたマイクロエアバックと、マイクロエアバックの差圧を検出する差圧検出手段と、差圧検出手段の検出差圧及び血管圧迫手段による血管圧迫圧力値より最高血圧値及び最低血圧値を測定する血圧測定手段とを備え、マイクロエアバックは、少なくとも１個は血圧を測定するカフ下流でかつ脈管上に配置され、他方は周辺方位に所定距離離反させて配置されるとともに、血圧測定手段は、差圧検出手段の検出差圧を元に最高血圧値と最低血圧値を測定することを特徴とする。
【００１２】
更に、上記構成に加え、前記血圧測定手段で測定した血圧測定結果を表示する表示手段を備えることを特徴とする。
【００１３】
【発明の実施の形態】
以下、図面を参照して本発明に係る発明の実施の形態の一例を詳細に説明する。
＜本発明に係る発明の実施の形態例の概要＞
本発明の実施の形態例における血圧測定時装置は、運動及び体動に伴うカフ内圧の変動の影響を抑制して血圧測定に必要な信号を抽出することを目的としてなされたもので、例えば、以下の構成を備えている。
【００１４】
即ち、２個以上のマイクロエアバックをカフ下（上腕関節）動脈上に所定距離離して配置し、一方をマイクと同様に動脈管の拍動を最も検出し易い所に配置する。この結果、カフを測定すべき被検者の上腕に巻き付けて加圧すれば、各マイクロエアバックは均等にカフの圧力を受けることになる。一方、脈管を伝達する脈動の影響は血管に対する配置の関係で脈管に近い場所に配置したものは最も強く、離れた場所に配置したものは弱くなる。また、２個以上のマイクロエアバックを脈管の上下流線上に配置した場合は、脈動の伝播時間差を生じる。
【００１５】
以上のことから、マイクロエアバック双方の差圧を検出すると、運動等に伴うカフ内圧の変動は殆ど抑圧除去され、脈動による圧力変動が強調出力される。このため、この検出した微少圧変動の高周波成分を選択すると、聴診法に基づくコロトコフ音とタイミングが良く一致し、雑音が極めて少ない検出結果が得られる。従ってカフ内圧を連続降下制御中に最初に生じるこの高周波振動圧は最高血圧（ＳＹＳ）と一致し、また、消滅した時点のカフ内圧が最低血圧値（ＤＩＡ）と一致する。
【００１６】
このことより最高血圧値（ＳＹＳ）及び最低血圧値（ＤＩＡ）を決定することとし、被検者の運動負荷等があっても、正確な血圧値の測定を可能としている。
以上を実現する本発明に係る一発明の実施の形態例の概略構成例を図１に示す。図１において、１０はカフ、３５は最高血圧値と最低血圧値を測定して表示手段６０より測定結果を表示させる血圧測定手段、４０はカフ１０に配設されたマイクロエアバック７０、７５の両マイクロエアバック間の差圧を検出して血圧測定手段３５に出力する差圧検出手段である。
【００１７】
また、５０はカフ１０内に空気を送り込むエアポンプとカフ内に送り込んだエアを排気する排気制御弁とを供え、カフ内圧を制御可能な圧迫圧力制御手段、６０は血圧測定手段３５の測定結果を表示する表示手段、７０、７５はカフ１０を測定者の測定部位に装着した際に上述した位置関係となり血圧を測定する脈管の上流側と下流側に所定距離離反させて配置されたマイクロエアバックであり、図１の例では２個が備えられている。
【００１８】
以上の構成において、上述した動作を可能としており、測定者の測定部位にマイクロエアバック７０、７５が上述した位置関係となるようにカフ１０を装着し、圧迫圧力制御手段５０においてカフ内圧を予め測定者毎に定められた圧力となるように加圧する。圧迫圧力制御手段５０は、カフ内圧を測定するカフ圧力測定手段を内包しており、カフ内圧の検出結果を監視しながら所定のカフ内圧になるまでエアを送り込む。
【００１９】
そして所定カフ内圧になると以後一定量づつカフ１０内のエアを排気させ血圧測定が終了すると一気にカフ内圧を排気し、血圧測定がうまく行われなかった時には例えばカフ内圧を最初の設定値より高く設定しなおしてカフ内圧を制御する。なお、検出したカフ内圧は血圧測定手段３５に出力される。差圧検出手段４０は２つのマイクロエアバック７０、７５それぞれの圧力を検出し、２つのマイクロエアバック７０、７５の圧力の差を求める。
【００２０】
発明者は、カフ１０で圧迫する測定者の脈管上にマイクロホンを配置してこのマイクロホンよりのＫ音検出結果とマイクロエアバック７０、７５双方の差圧の検出結果とを比較検討し、差圧の検出結果が脈動による圧力変動を強調出力するものであり、この検出した微少圧変動の高周波成分を選択すると、聴診法に基づくコロトコフ音とタイミングが良く一致し、雑音が極めて少ない検出結果が得られることを新たに発見した。
【００２１】
即ち、例えばカフ内圧を連続降下制御中最初に生じるこの高周波振動圧は最高血圧と一致し、また、消滅した時点のカフ内圧が最低血圧と一致する。あるいは連続上昇制御中に最初に生じるこの高周波振動圧は最低血圧と一致し、また、消滅した時点のカフ内圧が最高血圧と一致することを発見した。
従って、血圧測定手段３５では、この現象を血圧測定方法及び装置に適用し、最高血圧値及び最低血圧値を決定することとして測定結果を表示装置６０より表示出力可能としている。
【００２２】
更に、発明者は、この検出方法によれば、測定者の運動負荷等があっても、運動負荷などに伴うカフ内圧の変動は殆ど抑圧除去され、脈動による圧力変動が強調出力されることを確認し、被検者の運動負荷等があっても、正確な血圧値の測定を可能としている。
図１に示す構成を実現する具体的な構成を図２に示す。図２において、１０はカフであり、１５はカフ１０内のゴム嚢配設部分を示しており、７０、７５はゴム嚢１５配設位置の測定者の皮膚装着側に所定距離離反して設けられたマイクロエアバックである。３４はカフ内圧を検出する圧力センサ、３６は本実施の形態例全体の制御を司るＣＰＵであり、後述する制御を実現する制御手順を記憶するＲＯＭ、及び処理経過などを一時記憶するＲＡＭを内蔵している。
【００２３】
また、３７は圧力センサ３４よりの検出圧力中の雑音成分を除去するローパスフィルタ、４５はマイクロエアバック７０、７５の両エアバックに加わる圧力の差圧を検出する差圧センサ、４６は差圧センサ４５の検出結果より雑音成分を除去するバンドパスフィルタ、４７はバンドパスフィルタ４６よりの差圧センサ４５検出アナログ差圧値とローパスフィルタ３７よりの圧力センサ３４の検出結果アナログ圧力値とを対応するデジタル値に変換するＡ／Ｄ変換部である。
【００２４】
ＣＰＵ３６はこのＡ／Ｄ変換部４７よりのデジタル値を基に最高血圧値及び最低血圧値を測定することになる。
５１は圧力制御弁、５２はエアポンプ、５３は出力インタフェースであり、ＣＰＵ３６は出力インタフェース５３を介してエアポンプ５２を作動させてカフ１０に内蔵されているゴム嚢１５内にエアを送り込んでカフ内圧を加圧する。そして、ＣＰＵ３６は圧力センサ３４で検出するカフ内圧を監視し、カフ内圧が所定圧力となったらエアポンプ５２を停止させる。
【００２５】
そしてＣＰＵ３６は、圧力制御弁５１を制御してゴム嚢１５内のエアを例えば一定割合で排気させ、差圧センサ４５で検出する減圧中のマイクロエアバック７０、７５の差圧を監視し、カフ内圧の減圧中の最初に高周波振動圧が生じた時の圧力センサ３４検出のカフ内圧を最高血圧値（ＳＹＳ）とし、高周波振動圧が消滅した時点の圧力センサ３４検出のカフ内圧を最低血圧値（ＤＩＡ）とする。
【００２６】
この測定最高血圧値を表示用インタフェース６１を制御して表示器６２より表示させる。なお、この測定結果は、不図示のプリンタインタフェースを介して接続プリンタより印刷出力することも可能である。本実施の形態例においては、例えば 測定者への装着時にカフ下（上腕関節）動脈上に約２５mm離して配置されるように設けた。この結果、背景圧は各マイクロエアバック７０、７５に均等に加わり、一方脈圧は伝播時間等の関係で較差を生じるため、背景圧の除去と脈圧差の強調が可能となり、運動及び体動に伴うカフ内圧の変動の影響を抑制して血圧測定に必要な信号を抽出することが可能となり、マイクロエアバック７０、７５の差圧を差圧センサ４５で検出し、その後にこの差圧を増幅した結果、コロトコフ音と良く一致する出力が得られ、かつ腕を曲げたことによるカフ内圧変動の影響は殆ど無視できることが確認できた。
【００２７】
以上説明したように本発明の実施の形態例によれば、運動に伴うカフ内圧の変動が殆ど抑圧除去され、運動負荷中においても信頼性の高い血圧測定結果が得られる。例えば、非観血血圧測定装置による運動負荷中の計測は、体動に伴う雑音により、正確な測定が極めて困難であるが、２個以上のマイクロエアバックを一定間隔で配置し、一方をマイクと同様に動脈管の拍動を最も検出し易い所に配置することにより、各マイクロエアバックは均等にカフの圧力を受け、一方、脈管を伝達する脈動の影響は血管に対する配置の関係で脈管に近い場所に配置したものは最も強く、離れた場所に配置したものは弱いこと、及び脈管の上下流線上に配置した場合は脈動の伝播時間差を生じる。
【００２８】
このことから、双方の差圧を検出すると運動に伴うカフ内圧の変動は殆ど抑圧除去され、脈動による圧力変動を強調出力することができる。この結果、この微少圧変動の高周波成分を選択すると、聴診法に基づくコロトコフ音とタイミングが良く一致した、雑音が極めて少ない検出結果が得られる。従って、カフ内圧を連続減圧制御中に最初に生じるこの高周波振動圧は最高血圧と一致し、また、高周波振動圧が消滅した時点のカフ内圧が最低血圧と一致する信頼性の高い血圧測定結果が得られる。
【００２９】
なお、以上の説明においては、マイクロエアバック７０、７５の配置を測定者への装着時にカフ下（上腕関節）動脈上に約２５mm離して配置されるように設けたが、これは以下の実験結果の基づくものである。
（ａ）腕の振り、曲げ等に対してはマイクロエアバック間の距離を狭くすると結果がよい。
【００３０】
（ｂ）差圧感度（信号出力）は脈管に近く、平行で筋肉を避けるとよい。
（ｃ）カフの端に一方が近いと絶対圧の差を生じ、カフ内圧変動の影響が大きい。
（ｄ）マイク（固い形状の物）が重なると感度に影響する。
以上の結果を考慮して上記配置としたものである。
【００３１】
マイクロエアバック７０、７５は、少なくとも１個は血圧を測定するカフ下流でかつ脈管（動脈）上に配置し、他方を所定距離離反させて配置、例えば血圧を測定する脈管（動脈）の上流側と下流側に２５ｍｍ離反させて配置することがよいが，マイクロエアバック７０、７５の少なくとも１個を血圧を測定するカフ下流でかつ脈管（動脈）上に配置し、他方を周辺方位に所定距離（例えば２５ｍｍ）離反させて配置するように構成しても、上記と略同様の測定結果が得られる。
【００３２】
【発明の効果】
以上説明した様に本発明によれば、運動に伴うカフ内圧の変動が殆ど抑圧除去され、運動負荷中においても信頼性の高い血圧測定結果が得られる。
【図面の簡単な説明】
【図１】本発明に係る発明の実施の形態の一例の血圧測定装置の基本概念を示すブロック図である。
【図２】本発明に係る発明の実施の形態の一例の血圧測定装置の構成を示すブロック図である。
【図３】従来の血圧測定装置の構成を示すブロック図である。
【符号の説明】
１０  カフ
１５  ゴム嚢
３４  圧力センサ
３６  ＣＰＵ
３７  ローパスフィルタ
４５  差圧センサ
４６  バンドパスフィルタ
４７  Ａ／Ｄ変換部
５１  圧力制御弁
５２  エアポンプ
５３  出力インタフェース
６１  表示用インタフェース
６２  表示器
７０、７５  マイクロエアバック
【図１】
0003754177.tif 000002
【図２】
0003754177.tif 000003
【図３】
0003754177.tif 000004